(57)【特許請求の範囲】
【請求項１】
錠箱１の一側壁１ａに取付けられる本締錠のワンタッチ式非常開装置Ｘであって、該非常開装置Ｘは、一側面に開口１１が形成されかつ一側壁部１２にテコ用水平案内部１３を有する非常開用収納箱１０と、この非常開用収納箱１０に固着手段２３を介して一体的に内装されかつ背板部２０ａにテコ用垂直案内部２１を有する枠状支持部材２０と、この枠状支持部材に傾倒可能に軸支されかつテコ２９の前記水平案内部１３から突出する一端部にタッチプレート２７を有すると共に、テコ２９の他端部に前記垂直案内部２１に貫通状態に入込むプッシュアーム部２９ｃを有する操作部材２５と、前記非常開用収納箱１０の後端部の空間スペース３０内に固定的に嵌合しかつ前記プッシュアーム部２９ｃが入込む切欠部３２及び該プッシュアーム部２９ｃに押動される受用係合腕４２を有する施解錠機構Ｙの駆動体４０を備えた非常開ケース３１とから成る本締錠のワンタッチ式非常開装置。
【請求項２】
請求項１に於いて、非常開用収納箱１０の垂直側壁部１５の一側内壁面１５ａには、先端部にネジ穴１８を有する筒体１７が突設され、一方、枠状支持部材２０の背板部２０ａには貫通小孔２２が形成され、支持部材２０は、固定用ビス２３を前記貫通小孔２２から挿通して前記筒体１７に螺合することにより非常開用収納箱１０に一体的に内装されることを特徴とする本締錠のワンタッチ式非常開装置。
【請求項３】
請求項１に於いて、非常開用収納箱１０の一側壁部は上壁部１２であり、該上壁部１２とこれに連なる側壁部１５の上端部との間には、透明の保護カバー２がスライド嵌合する水平嵌合溝１６が形成されていることを特徴とする本締錠のワンタッチ式非常開装置。
【請求項４】
請求項１に於いて、非常開ケース３１Ａは、上端部に形成した挿通孔５２及び枠状支持部材２０の背板部２０ａの上方貫通小孔２２を貫通して非常開用収納箱１０Ａの上方筒体１７に螺合し、また、下端部に形成した挿通孔５３を貫通し、かつ、非常開用収納箱１０Ａの傾斜状底壁部１４Ａの内壁面に突出形成した螺合部５４に螺合することを特徴とする本締錠のワンタッチ式非常開装置。
【発明の詳細な説明】
【０００１】
【発明の属する技術分野】
本発明は、ホテル等の非常口に取付けられる本締錠のワンタッチ式非常開装置に関する。
【０００２】
【従来の技術】
ホテル等で非常事態が発生した場合に於いて、保護カバーを破壊し、タッチプレートを押すことにより、いわゆるワンタッチで解錠、開扉を素早く行うことができるワンタッチ式非常開装置は、普通一般に本締錠の錠箱の側壁に添設されている。
【０００３】
ところで、本締錠は狭框扉乃至広框扉に対応して色々な型式のものがある。従来、この種の非常開装置の非常開ケースは、内部に駆動体，ダルマ等の施解錠機構を備え、各種の型式に対応して専用の非常開ケースが多数製作されていた。また、各専用非常開ケースは、それぞれ本締錠の錠箱内に個別的に適宜組込まれていた。
【０００４】
しかしながら、本締錠の各型式の錠箱に対応して専用の非常開ケースを多数製作することは、ケースの種類が増えるので、ローコスト化を図るという観点からは好ましいことではない。また、本締錠の錠箱内に非常開ケースを組込むことは、非常開ケースを各本締錠の錠箱に簡単に交換等の後付けができないので、点検，修理，本締錠の型式を簡単に変更可能か否か等の観点からは、改良すべき問題点があった。
【０００５】
【発明が解決しようとする課題】
本発明は以上のような従来の問題点に鑑み、第１の目的は、非常開ケースの種類の統一化を実現することができ、その結果、非常開ケースの種類を減らすことができることである（製作コストの低減化）。第２の目的は、非常開ケースの点検や修理を簡単にすることができるだけではなく、本締錠の型式を所望の型式に容易に変更することができることである（メンテナンスの容易性，型式変換の容易性）。第３の目的は各部材を能率かつ合理的に組み立てることができることである。
【０００６】
【課題を解決するための手段】
本発明の本締錠のワンタッチ式非常開装置は、錠箱１の一側壁１ａに取付けられる本締錠のワンタッチ式非常開装置Ｘであって、該非常開装置Ｘは、一側面に開口１１が形成されかつ一側壁部１２にテコ用水平案内部１３を有する非常開用収納箱１０と、この非常開用収納箱１０に固着手段２３を介して一体的に内装されかつ背板部２０ａにテコ用垂直案内部２１を有する枠状支持部材２０と、この枠状支持部材に傾倒可能に軸支されかつテコ２９の前記水平案内部１３から突出する一端部にタッチプレート２７を有すると共に、テコ２９の他端部に前記垂直案内部２１に貫通状態に入込むプッシュアーム部２９ｃを有する操作部材２５と、前記非常開用収納箱１０の後端部の空間スペース３０内に固定的に嵌合しかつ前記プッシュアーム部２９ｃが入込む切欠部３２及び該プッシュアーム部２９ｃに押動される受用係合腕４２を有する施解錠機構Ｙの駆動体４０を備えた非常開ケース３１とから成る。
【０００７】
上記構成に於いて、各部材を能率かつ合理的に組合わせるために、非常開用収納箱１０の垂直側壁部１５の一側内壁面１５ａには、先端部にネジ穴１８を有する筒体１７が突設され、一方、枠状支持部材２０の背板部２０ａには貫通小孔２２が形成され、支持部材２０は、固定用ビス２３を前記貫通小孔２２から挿通して前記筒体１７に螺合することにより非常開用収納箱１０に一体的に内装されることを特徴とする。また上記構成に於いて、非常開用収納箱１０に透明の保護カバー２を簡単に取付けるために、非常開用収納箱１０の一側壁部は上壁部１２であり、該上壁部１２とこれに連なる側壁部１５の上端部との間には、透明の保護カバー２がスライド嵌合する水平嵌合溝１６が形成されていることを特徴とする。さらに上記構成に於いて、非常開ケース３１Ａを非常開用収納箱１０Ａに安定的に固定するために、非常開ケース３１Ａは、上端部に形成した挿通孔５２及び枠状支持部材２０の背板部２０ａの上方貫通小孔２２を貫通して非常開用収納箱１０Ａの上方筒体１７に螺合し、また、下端部に形成した挿通孔５３を貫通し、かつ、非常開用収納箱１０Ａの傾斜状底壁部１４Ａの内壁面に突出形成した螺合部５４に螺合することを特徴とする。
【０００８】
【発明の実施の形態】
以下、図１乃至図８に示す第１実施例について説明する。図１は、例えばホテルの非常口に取付けられる本締錠の錠箱１にワンタッチ式非常開装置Ｘを取付けた説明図である。この非常開装置Ｘは上方にプラスチックス等の合成樹脂材で形成された透明保護カバー２を有する。非常時には透明保護カバー２を破壊し、後述する操作部材の後述するタッチプレートを手で押し込む。そうすると、非常開用収納箱１０に内臓された非常開ケース３１の施解錠機構Ｙにより、本締錠のデッドボルト６がフロント７側へ後退する。
【０００９】
図２は本発明の分解斜視図である。一方、図３は各部材を組合わせた概略断面説明図である。以下、図２を基準として非常開装置Ｘの各構成部材について説明する。
【００１０】
まず１０は錠箱１の一側壁１ａに固定される非常開用収納箱で、この非常開用収納箱１０の一側面は方形状に開口１１している。１２は前記開口方向に向かって形成された左右一対の水平案内部（水平切欠部、水平案内長孔等）１３を有する上壁部である。一方、１４は傾斜状底壁部で、この傾斜状底壁部１４と上壁部１２との間には、垂直の側壁部１５が連なっている。１６は上壁部１２と垂直側壁部１５の上端部のと間に形成された平面コ字型の水平嵌合溝で、この水平嵌合溝１６には、前述した透明保護カバー２の下端部がスライド嵌合する。
【００１１】
１７は垂直側壁部１５の一側内壁面１５ａ中央部から開口１１方向へ突出する複数本の筒体で、これらの筒体１７の先端部にはネジ穴１８がそれぞれ形成されている。筒体１７の一つは、図３で示すように一側内壁面１５ａの上端部に、また他の一つは、一側内壁面１５ａの中央部に設けられている。
【００１２】
次に２０は前記非常開用収納箱１０内に固定的に内装される上下端面コ字型状の支持部材である。この支持部材２０の垂直背板部２０ａには、左右一対の垂直案内部（垂直切欠部、垂直案内長孔等）２１が形成されている。また背板部２０ａの中央上下部には、貫通小孔２２が形成されている。
【００１３】
したがって、支持部材２０は、固着手段としての複数本の固定用ビス２３を前記貫通小孔２２から挿通し、かつ、非常開用収納箱１０の前記筒体１７にそれぞれ螺合することによって、非常開用収納箱１０内に一体的に固定される。
【００１４】
次に２５は支持部材２０の左右側板部２０ｂ，２０ｂに軸架された横軸２６に枢支された操作部材である。この操作部材２５は、図１又は図３で示すように透明の保護カバー２の前面２ａと対向するように該保護カバー２内に位置するタッチプレート２７と、このタッチプレート２７の背面に図示しない固着具を介して固定された矩形状連結板２８と、この連結板２８の左右に非常開用収納箱１０の水平案内部１３から突出する首状上端部２９ａがそれぞれ固定され、かつ、中央部の膨出状軸受け部２９ｂが横軸２６に軸支されていると共に、プッシュアーム部２９ｃが該膨出状軸受け部２９ｂから水平方向へと連なって支持部材２０の垂直案内部２１に貫通状態に入込んだ左右一対のテコ２９とから成る。したがって、この操作部材２５は、テコの一種であるから、タッチプレート２７の前面２７ａを押すと横軸２６を支点に後方へと所定量回転する。なお、前記タッチプレート２７の前面２７ａには、「非常用、押す」等の文字が表示されている。
【００１５】
次に３１は非常開用収納箱１０に前記支持部材２０並びに操作部材２５が組込まれた場合に於いて、非常開用収納箱１０の空間スペースに３０に固定的に内装される長板状非常開ケースである。
【００１６】
長板状非常開ケース３１は、非常開用収納箱１０の後端部の前記空間スペース３０内に丁度嵌まり合うような大きさである。したがって、非常開用収納箱１０の開口部１１の内径と非常開ケース３１の外径との寸法差は少ない。
【００１７】
さて、この非常開ケース３１の上端部の内壁面（支持部材の背板部２０ａに対向する面）３１ａと外壁面３１ｂには、前述したテコ２９の左右のプッシュアーム部２９ｃがそれぞれ入込む切欠部３２が形成されている。ところで、本実施例では、錠箱１に対する非常開用収納箱１０の左右の取付け位置を考慮し、操作部材２５に左右一対のテコ２９を設け、これに対応して支持部材の背板部２０ａにテコ２９の左右のプッシュアーム部２９ｃをそれぞれ案内する左右一対の垂直案内部２１等を形成しているが、非常開装置Ｘの機能としては、前記テコ２９のプッシュアーム部２９ｃは一本あれば十分である。したがって、プッシュアーム部２９ｃが一本の実施例の場合には、前記垂直案内部２１や切欠部３２は、それぞれ一個あれば十分である。
【００１８】
そこで、上記を念頭に図４で示す本締錠用施解錠機構Ｙを説明する。なお、この施解錠機構Ｙの一例は、本発明の環境を説明するためのものであり、必ずしも本発明の特定要件ではないので、主たる構成部材のみを説明する。
【００１９】
しかして、４０は非常開ケース３１の上端部寄りの軸４１に軸支された駆動体で、この駆動体４０の円形状軸受け部には、テコ２９の左右のプッシュアーム部２９ｃのいずれか一つ、図４を基準にすると、右側のプッシュアーム部２９ｃの下方まで延びる受用係合腕４２が形成されている。換言すれば、駆動体４０には、非常開ケース３１の右側の切欠部３２に臨むように半径方向へと突出する受用係合腕４２が設けられている。また駆動体４０の円形状軸受け部の下部には、半径方向に広がる幅広部が形成され、この幅広部の周縁部には駆動ギア４０ａが形成されている。
【００２０】
４３は駆動体４０の下方に回動自在に配設され、かつ、前記駆動ギア４０ａと係合する係合歯４４を有するダルマである。このダルマ４３は、シリンダー又はサムターンにより回転する。
【００２１】
４５は非常開ケース３１の下端部寄りの軸４６に巻装されたダルマ４３用復帰バネで、この復帰バネ４５の一端部４５ａはダルマ４３に形成された係合板４７に圧接し、一方、その他端部４５ｂは非常開ケース３１の内壁面に圧接している。なお、図示しないシリンダーは、非常開ケース３１の下端部の収納空間４８に横状態に適宜組込まれる。
【００２２】
上記構成に於いて、非常開装置Ｘの非常開用収納箱１０は、図１で示すように本締錠の錠箱１の一側壁１ａに適宜取付けられる。この場合に於いて、まず支持部材２０に操作部材２５を軸支する。次に支持部材２０及び操作部材２５を非常開用収納箱１０に嵌め込む。この時、操作部材２５のテコ２９の首状部を非常開用収納箱１０の水平案内部１３に入れ、そのタッチプレート２７を上壁部１２の上方に垂直状態に位置させると共に、支持部材２０の貫通小孔２２を非常開用収納箱１０の筒体１７に合わせる。そして、固定用ビス２３を前記貫通小孔２２から挿通し、かつ、非常開用収納箱１０の前記筒体１７にそれぞれ螺合する。
【００２３】
次に図３で示すように、非常開用収納箱１０の後端部の空間スペースに３０に非常開ケース３１を嵌め込む。この時非常開ケース３１の一つの切欠部３２内に操作部材２５のテコ２９のプッシュアーム部２９ｃの一つを入れるようにする。そして、プッシュアーム部２９ｃが駆動体４０の受用係合腕４２の上方に位置するように非常開ケース３１を非常開用収納箱１０内にセットすることができたならば、図示しない固定手段で非常開ケース３１を非常開用収納箱１０に固定する。
【００２４】
図５及び図６は、非常開装置Ｘが施錠状態の場合の説明図である。この場合操作部材２５のタッチプレート２７は垂直状態であるのに対し、操作部材２５のテコ２９のプッシュアーム部２９ｃは水平状態である。また駆動体４０の受用係合腕４２は、前記プッシュアーム部２９ｃに対して斜め上方方向を指向している。
【００２５】
図７及び図８は、非常開装置Ｘを解錠状態する場合の説明図である。非常開装置Ｘを解錠する場合は非常事態であるから、前述したように保護カバー２を破壊してタッチプレート２７を手で押す。そうすると、タッチプレート２７は、図７で示すように横軸２６を支点に後方側に傾倒する。タッチプレート２７が傾倒すると、テコ２９のプッシュアーム部２９ｃは垂直案内部２１及び切欠部３２に案内されて下降し、施解錠機構Ｙの駆動体４０を駆動させる。すなわち、プッシュアーム部２９ｃが駆動体４０の受用係合腕４２を押動する。そうすると、駆動体４０が軸４１を中心に時計方向に回転し、一方、ダルマ４３は復帰バネ４５のバネ力に抗して半時計方向に回転する。その結果、本締錠のデッドボルト６は錠箱１内に後退して解錠状態となる。
【００２６】
【実施例】
第１実施例において、非常開用収納箱１０の上壁部にテコ用水平案内部１３を形成したが、非常開用収納箱１０の下方に透明の保護カバー２がスライド嵌合する場合には、該保護カバー２内にテコ２９のタッチプレート２７が位置することになるので、このような場合には上壁部は下壁部（一側壁部）となり、当然のことながら、該一側壁部にテコ用水平案内部１３が形成されている。
【００２７】
次に図９及び図１０に示す本発明の第２実施例につき説明する。この第２実施例の説明に当たって、前記第１実施例と同一の部分には同一又は同様の符号を付して重複する説明を省略する。
【００２８】
第２実施例に於いて、前記第１実施例と主に異なる点は、非常開ケース３１Ａを非常開用収納箱１０Ａに固定する構造である。第１実施例では非常開ケース３１を枠状支持部材２０に関係なく非常開用収納箱１０Ａに適宜に固定するが、この第２実施例の非常開ケース３１Ａは、組合わせの能率性等を考慮し、非常開用収納箱１０Ａに複数本の第２固着具５１を介して固定的に内装される。
【００２９】
すなわち、符号５１は、非常開ケース３１Ａを非常開用収納箱１０Ａに固着する合計２本の固定用ビスで、一本の固定用ビス５１は非常開ケース３１Ａの上端部に形成した挿通孔５２及び枠状支持部材２０の背板部２０ａの上方貫通小孔２２を貫通して非常開用収納箱１０Ａの上方筒体１７に螺合する。一方、もう一本の固定用ビス５１は、非常開ケース３１Ａの下端部に形成した挿通孔５３を貫通し、かつ、非常開用収納箱１０Ａの傾斜状底壁部１４Ａの内壁面中央部に突出形成した螺合部５４に螺合する。
【００３０】
このように構成すると、非常開用収納箱１０Ａと、操作部材２５を軸支する枠状支持部材２０と、非常開ケース３１Ａとを、能率かつ安定的に組合わせることができる。
【００３１】
【発明の効果】
以上の説明から明らかなように、本発明にあっては、次に列挙するような効果がある。
（１）非常開用収納箱の後端部の空間スペースに非常開ケースを内装したので、必ずしも本締錠の各種錠箱の型式に対応する専用の非常開ケースを個別的に製作する必要がなくなった。したがって、例えば所定寸法の非常開用収納箱内に嵌まり合う非常開ケースを製作すれば十分なので、非常開ケースの形態の統一化を実現することができ、その結果、非常開ケースの種類を減らすことができ、したがって、全体として製作上のローコスト化を図ることができる。
（２）従来のように本締錠の錠箱内に個別的に専用の非常開ケースを組込まず、非常開ケースを内装した非常開用収納箱を本締錠の錠箱に後付けすることができるので、非常開ケースの点検や修理が簡単である。
（３）また、本締錠の型式を所望のそれに変更する場合には、本締錠の錠箱を分解しなくても、非常開用収納箱に内装された非常開ケースの型式を交換するだけで良いので、簡単に所望する本締錠の型式を得ることができる。
（４）各部材を能率かつ合理的に組み立てることができる。
【図面の簡単な説明】
図１乃至図８は本発明の第１実施例を示す各説明図。図９及び図１０は本発明の第２実施例を示す各説明図。
【図１】発明の実施形態の一例を示す斜視図。
【図２】主要部の分解斜視図。
【図３】主要部の組合わせ状態を示す概略断面説明図（施錠状態）。
【図４】図３に於いて、非常開用収納箱の開口側から見た概略断面説明図（施錠状態）。
【図５】支持部材及び操作部材の説明図（施錠状態）。
【図６】非常開ケースの内部構造を示す概略断面説明図（施錠状態）。
【図７】支持部材及び操作部材の説明図（解錠状態）。
【図８】非常開ケースの内部構造を示す概略断面説明図（解錠状態）。
【図９】第２実施例の主要部の分解斜視図。
【図１０】第２実施例の主要部の組合わせ状態を示す概略断面説明図（施錠状態）。
【符号の説明】
Ｘ…非常開装置、Ｙ…施解錠機構、１…錠箱、１ａ…一側壁、２…保護カバー、６…デッドボルト、１０，１０Ａ…非常開用収納箱、１１…開口、１２…一側壁部、１３…テコ用水平案内部、１４，１４Ａ…傾斜状底壁部、１５…側壁部、１６…水平嵌合溝、１７…筒体、１８…ネジ穴、２０…支持部材、２０ａ…背板部、２０ｂ…左右側壁部、２１…テコ用垂直案内部、２２…貫通小孔、２５…操作部材、２６…横軸、２７…タッチプレート、２８…連結板、２９…テコ、２９ａ…上端部、２９ｃ…プッシュアーム部、３０…空間スペース、３１，３１Ａ…非常開ケース、３２…切欠部、４０…駆動体、４０ａ…駆動ギア、４１，４６…軸、４２…受用係合腕、４３…ダルマ、４４…係合歯、４５…復帰バネ、５１…第２固着具、５２，５３…挿通孔、５４…螺合部。
【図１】
0004132483.tif 000002
【図２】
0004132483.tif 000003
【図３】
0004132483.tif 000004
【図４】
0004132483.tif 000005
【図５】
0004132483.tif 000006
【図６】
0004132483.tif 000007
【図７】
0004132483.tif 000008
【図８】
0004132483.tif 000009
【図９】
0004132483.tif 000010
【図１０】
0004132483.tif 000011